(57)【要約】  【課題】  建造物の側面部に容易に設置可能なる側面避雷設備、および、側面避雷設備を建造物に設置する側面避雷設備設置工法を提供する。  【解決手段】  側面避雷設備１０は、雷撃を受止める避雷突針部２１と、避雷突針部２１が垂設される基板部２２と、避雷突針部２１が挿入される受雷部挿入管３１と、受雷部挿入管３１の一方の周縁に周設されるフランジ部材３２とを備え、避雷突針部２１を受雷部挿入管３１に挿入した後、基板部２２とフランジ部材３２とをネジ部材５０により電気的、機械的に接合し、建造物に設置する。【選択図】      図１
2007005194.tif 000002
【特許請求の範囲】
【請求項１】
建造物の側面部への落雷防止を図る側面避雷設備において、
建造物の側面部に該側面部を室内側から室外側へ貫通して配置される側面貫通受雷部と、
前記側面貫通受雷部を建造物に固定する受雷部固定部材とを有する、
ことを特徴とする側面避雷設備。
【請求項２】
請求項１に記載の側面避雷設備において、
前記側面貫通受雷部は、雷撃を受止める避雷突針部と、
前記避雷突針部が垂設される基板部とを有する、
ことを特徴とする側面避雷設備。
【請求項３】
請求項１または請求項２に記載の側面避雷設備において、
前記側面貫通受雷部は、該側面貫通受雷部に避雷導線を電気的、機械的に接合する避雷導線接合端子を備えた、
ことを特徴とする側面避雷設備。
【請求項４】
請求項３に記載の側面避雷設備において、
前記避雷導線接合端子は、避雷導線が挿入される避雷導線挿入部材と、
前記避雷導線挿入部材に螺挿されるナット部材とを有する、
ことを特徴とする側面避雷設備。
【請求項５】
請求項１に記載の側面避雷設備において、
前記受雷部固定部材は、前記側面貫通受雷部が挿入される略筒型形状の受雷部挿入管と、
前記受雷部挿入管の室内側に配置される端部に設けられた、前記側面貫通受雷部を固定するフランジ部材とを備える、
ことを特徴とする側面避雷設備。
【請求項６】
請求項５に記載の側面避雷設備において、
前記受雷部挿入管は、該受雷部挿入管の外周面に周設された鍔体を有する、
ことを特徴とする側面避雷設備。
【請求項７】
建造物の側面部に該側面部を室内側から室外側へ貫通して配置される側面貫通受雷部と、前記側面貫通受雷部を建造物に固定する受雷部固定部材とを有する側面避雷設備を建造物に設置する側面避雷設備設置方法において、
前記受雷部固定部材を建造物の所定の位置に配設する受雷部固定部材配設工程と、
前記建造物の室内側で前記側面貫通受雷部を前記受雷部固定部材に固定する側面貫通受雷部固定工程とを含む、
ことを特徴とする側面避雷設備設置方法。
【発明の詳細な説明】
【技術分野】
【０００１】
本発明は、落雷から建造物を保護する避雷設備であって、建造物の側面部への落雷防止を図る側面避雷設備、および、側面避雷設備を建造物に設置する側面避雷設備設置方法に関する。
【背景技術】
【０００２】
従来の避雷設備は、ＪＩＳ−Ａ−４２０１「建築物等の避雷設備（避雷針）」に規定され、雷撃に対する保護範囲である保護角度が、一般建造物で６０度、危険物取扱い建造物で保護角４５度とそれぞれ定められていた。しかし、保護角以内にある屋上パラペットや屋根等に落雷するといった調査報告があり、規準の整備が必要であるとの指摘がなされていた。
【０００３】
一方、１９９０年に、ＩＥＣ（International Electrotechnical Commission：国際電気標準会議）は、雷現象に関する研究により蓄積されたデータを基に国際基準や規格を整備し、ＩＥＣ１０２４−１“建築物の雷保護”を制定した。このＩＥＣ１０２４−１“建築物の雷保護”は、その保護範囲について、雷放電の最終段階進展距離である雷撃距離の理論に基づく回転球体法が主体的に採用され、これと等価な保護角法、メッシュ法が規定されている。
【０００４】
近年、電子機器（例えば、コンピュータ。）が多用されるようになり、雷の発生時に配電線などから進入する雷サージや、落雷時に建造物と配電線との間に発生する電位差により、電子機器が損傷する例が増加しつつあり、その対策を考慮する必要性があった。
【０００５】
上記ＪＩＳ−Ａ−４２０１の規格は、国際規格との整合を図るとともに上述の問題点を解消するべく、「建築物等の避雷設備（避雷針）」から「建築物等の雷保護」へと改訂がなされ、避雷設備の保護範囲を設定する場合、基本的には回転球体法に基づき行なうことが規定されることとなった。
【０００６】
従来の高層建築物の外壁側面に対する避雷工法は、上述の回転球体法を考慮して為されたものであり（例えば、特許文献１に示される）、以下、この従来例を図７ないし図１０の各図を参照しながら説明する。図７は、ＰＣ（プレキャストコンクリート）板の取付け状態を示す正面図であり、図８は、側面落雷防止工法に用いられるＰＣ板の正面図であり、図９は、側面落雷防止工法に用いられるＰＣ板の右側面図であり、図１０は、避雷導線の接合状態を示す図である。
【０００７】
図において、１はＰＣ板、２はＰＣ板１の１つの側辺に沿って設けられた垂直導体、３は垂直導体２と電気的に接続されたＰＣ板取付け金物、４は垂直導体２とＰＣ板取付け金物３を電気的に接続する連結杆、５はＰＣ板取付け金物３に接続端子７を用いて電気的に接続される避雷導線である。また、６はＰＣ板１が取り付けられる建物の躯体である。
【０００８】
図７ないし図１０に示すように、従来の高層建築物の外壁側面に対する避雷工法は、その一つの側辺に沿って帯状の垂直導体２を備えたＰＣ板１を建造物の側面部に取付け、前記垂直導体２により、雷撃を受止め、建造物を落雷から保護するものである。
【０００９】
ＰＣ板１は、工場で一括生産されるプレキャスト部材であり、垂直導体２の正面がＰＣ板の正面と同一面となるように、また、垂直導体２の側面がＰＣ板の側面とそれぞれ同一面となるように、垂直導体２と一体化された壁部材である。
【００１０】
上記のように構成されたＰＣ板１は、垂直導体２が連結杆４、ＰＣ板取付け金物３、接続端子７、および避雷導線５を介して躯体６と電気的に接続された状態で、ＰＣ板取付け金物３により躯体６に取付けられる。
そして、側面部への落雷時に、雷撃は垂直導体２により受止められ、受止められた雷電流が躯体６を介して図示しない接地極に接地される。
【特許文献１】特開２００１−８６６４１号公報（第１−５頁）
【非特許文献１】ＩＥＣ１０２４−１
【非特許文献２】ＪＩＳ−Ａ−４２０１
【発明の開示】
【発明が解決しようとする課題】
【００１１】
ところで、避雷設備は、ＪＩＳ−Ａ−４２０１により保守点検が義務づけられており、定期的に、点検を実施する必要があり、所定の基準を満たさない場合は補修を要する。
【００１２】
しかし、従来の高層建築物の外壁側面に対する避雷工法により設けられた避雷設備の保守点検作業を実施する際、作業場所が屋外であるので作業工程が天候に左右される。また、高所作業となるので、作業員の労働災害を防止する保護具（例えば、ゴンドラや命綱）が必要である。その結果、避雷設備の維持管理に多大な費用を要するという問題がある。
【００１３】
本発明は、以上のような問題を鑑みてなされたものであり、避雷設備の設置および保守点検を容易に実施することができ得る側面避雷設備、および、その側面避雷設備を利用した側面避雷設備設置方法を提供することを目的とする。
【課題を解決するための手段】
【００１４】
前記課題を解決するために、本発明の請求項１に記載の側面避雷設備は、建造物の側面部への落雷防止を図る側面避雷設備において、建造物の側面部に該側面部を室内側から室外側へ貫通して配置される側面貫通受雷部と、前記側面貫通受雷部を建造物に固定する受雷部固定部材とを有する、ことを特徴とするものである。
【００１５】
また、本発明の請求項２に記載の側面避雷設備は、請求項１に記載の側面避雷設備において、前記側面貫通受雷部は、雷撃を受止める避雷突針部と、前記避雷突針部が垂設される基板部とを有する、ことを特徴とするものである。
【００１６】
また、本発明の請求項３に記載の側面避雷設備は、請求項１または請求項２に記載の側面避雷設備において、前記側面貫通受雷部は、該側面貫通受雷部に避雷導線を電気的、機械的に接合する避雷導線接合端子を備えた、ことを特徴とするものである。
【００１７】
また、本発明の請求項４に記載の側面避雷設備は、請求項３に記載の側面避雷設備において、前記避雷導線接合端子は、避雷導線が挿入される避雷導線挿入部材と、前記避雷導線挿入部材に螺挿されるナット部材とを有する、ことを特徴とするものである。
【００１８】
また、本発明の請求項５に記載の側面避雷設備は、請求項１に記載の側面避雷設備において、前記受雷部固定部材は、前記側面貫通受雷部が挿入される略筒型形状の受雷部挿入管と、前記受雷部挿入管の室内側に配置される端部に設けられた、前記側面貫通受雷部を固定するフランジ部材とを備える、ことを特徴とするものである。
【００１９】
また、本発明の請求項６に記載の側面避雷設備は、請求項５に記載の側面避雷設備において、前記受雷部挿入管は、該受雷部挿入管の外周面に周設された鍔体を有する、ことを特徴とするものである。
【００２０】
また、本発明の請求項７に記載の側面避雷設備設置方法は、建造物の側面部に該側面部を室内側から室外側へ貫通して配置される側面貫通受雷部と、前記側面貫通受雷部を建造物に固定する受雷部固定部材とを有する側面避雷設備を建造物に設置する側面避雷設備設置方法において、前記受雷部固定部材を建造物の所定の位置に配設する受雷部固定部材配設工程と、前記建造物の室内側で前記側面貫通受雷部を前記受雷部固定部材に固定する側面貫通受雷部固定工程とを含む、ことを特徴とするものである。
【発明の効果】
【００２１】
本発明の請求項１に記載の側面避雷設備によれば、建造物の側面部への落雷防止を図る側面避雷設備において、建造物の側面部に該側面部を室内側から室外側へ貫通して配置される側面貫通受雷部と、前記側面貫通受雷部を建造物に固定する受雷部固定部材とを有するので、工事原価および維持管理費の削減の効果がある。
【００２２】
また、請求項２に記載の側面避雷設備によれば、請求項１に記載の側面避雷設備において、前記側面貫通受雷部は、雷撃を受止める避雷突針部と、前記避雷突針部が垂設される基板部とを有するので、避雷設備の設置作業が容易となる効果がある。
【００２３】
また、請求項３に記載の側面避雷設備によれば、請求項１または請求項２に記載の側面避雷設備において、前記側面貫通受雷部は、該側面貫通受雷部に避雷導線を電気的、機械的に接合する避雷導線接合端子を備えたので、避雷導線の溶接接合作業が不要となり、当該側面避雷設備の取付け作業現場において火気に対する管理が不要となる効果がある。
【００２４】
また、請求項４に記載の側面避雷設備によれば、請求項３に記載の側面避雷設備において、前記避雷導線接合端子は、避雷導線が挿入される避雷導線挿入部材と、前記避雷導線挿入部材に螺挿されるナット部材とを有するので、避雷導線を当該避雷導線接合端子に容易に接合することが可能となる効果がある。
【００２５】
また、請求項５に記載の側面避雷設備によれば、請求項１に記載の側面避雷設備において、前記受雷部固定部材は、前記側面貫通受雷部が挿入される略筒型形状の受雷部挿入管と、前記受雷部挿入管の室内側に配置される端部に設けられた、前記側面貫通受雷部を固定するフランジ部材とを備えるので、避雷設備の点検作業が容易となる効果がある。
【００２６】
また、請求項６に記載の側面避雷設備によれば、請求項５に記載の側面避雷設備において、前記受雷部挿入管は、該受雷部挿入管の外周面に周設された鍔体を有するので、建造物内部への水分の浸入を防止できる側面部避雷防止設備を提供できる効果がある。
【００２７】
また、請求項７に記載の側面避雷設備設置方法によれば、建造物の側面部に該側面部を室内側から室外側へ貫通して配置される側面貫通受雷部と、前記側面貫通受雷部を建造物に固定する受雷部固定部材とを有する側面避雷設備を建造物に設置する側面避雷設備設置方法において、前記受雷部固定部材を建造物の所定の位置に配設する受雷部固定部材配設工程と、前記建造物の室内側で前記側面貫通受雷部を前記受雷部固定部材に固定する側面貫通受雷部固定工程とを含むので、回転球体法に基づいた避雷設備の設置およびその点検作業が容易となる効果がある。
【発明を実施するための最良の形態】
【００２８】
（実施の形態）
以下、本発明の実施の形態に係る側面避雷設備について、図１ないし図４の各図を参照して説明する。
図１は、本実施の形態に係る側面避雷設備の全体平面図であり、図２は、本実施の形態に係る側面避雷設備の正面図であり、図３は、本実施の形態に係る側面避雷設備の断面図であり、図４は、本実施の形態に係る側面避雷設備の避雷導線接合端子の平面図と断面図である。
【００２９】
本実施の形態に係る側面避雷設備１０は、図１に示すように、側面貫通受雷部２０と、受雷部固定部材３０と、避雷導線接合端子４０とによって構成されている。
【００３０】
側面貫通受雷部２０は、図１ないし図３の各図に示すように、雷撃を受止める避雷突針部２１と、そのほぼ中心部に避雷突針部２１が垂設される基板部２２とを備えたものである。側面貫通受雷部２０の材質は、腐食しにくいよう、ステンレス製とされる。
【００３１】
避雷突針部２１は、その先端部に半球面を有する略円柱型形状のものであり、建造物の側面部の室内側から室外側へ貫通させて該建造物の側面部に対してほぼ垂直に設置される。
【００３２】
基板部２２は、略円板型形状の基板部本体２２ａの側面部に、先端部が半円形状に面取り加工された略長方形状の跳出し部２２ｂを有し、前記基板部本体２２ａと前記跳出し部２２ｂとが一体化された略凸型形状の平板である。基板部本体２２ａの外周縁近傍に２対のネジ穴２２ｃが略十字型形状に配設され、前記ネジ穴２２ｃにはネジ部材５０が挿入される。また、跳出し部２２ｂに雌ネジ部２２ｄが加工され、前記雌ネジ部２２ｄには避雷導線接合端子４０が螺着固定される。
【００３３】
受雷部固定部材３０は、図１ないし図３の各図に示すように、避雷突針部２１が挿入される受雷部挿入管３１と、側面貫通受雷部２０を当該受雷部固定部材３０に固定させるフランジ部材３２と、受雷部挿入管３１の外周面に鍔体３３とが備えられたものである。当該受雷部固定部材３０は、受雷部挿入管３１と、フランジ部材３２と、鍔体３３とが一体形成され、腐食を防止するため、その材質はステンレス製とされている。
【００３４】
受雷部挿入管３１は、略円筒型形状のものであり、当該受雷部挿入管の中空部に避雷突針２１が挿入される。フランジ部材３２は、リング状の平板であり、２対のネジ穴３２ａが略十字型形状に配設されている。前記ネジ穴３２ａには、ネジ部材５０が挿入され、受雷部固定部材３０と側面貫通受雷部２０とを、電気的、機械的に接合する。鍔体３３は、略正方形型形状の平板であり、建造物の側面部室外側表面から浸透した水分（例えば、雨水）が、毛細管現象により受雷部固定部３０の外周面をつたって室内側に漏出することを防ぐ止水機能を有する。
【００３５】
避雷導線接合端子４０は、図４に示すように、避雷導線６０が挿入される避雷導線挿入部材４１と、避雷導線挿入部材４１に螺挿されるナット部材４２とを備えたものである。
【００３６】
避雷導線挿入部材４１は、略六角形状に加工された頭部４１１と、軸部４１２と、雄ネジ部４１３とを有する雄ネジ部材である。
【００３７】
軸部４１２は、該軸部の中心部であって該軸部の伸張方向に避雷導線６０が挿入される中空部４１２１と、該軸部の周壁部にナット部材４２が螺挿される雄ネジ部４１２２と、雄ネジ部４１２２にナット部材４２が螺挿されることによりその間隔が狭くなる先割り部４１２３とを有する。
【００３８】
雄ネジ部４１３は、頭部４１１と軸部４１２との中間部に螺刻され、雌ネジ２２ｄに螺挿されることにより、避雷導線挿入部材４１が側面貫通受雷部２０に取付けられる。
【００３９】
ナット部材４２は、頭部４２１と、軸部４２２とを有する雌ネジ部材である。頭部４２１および軸部４２２の内壁面に勾配を有し、軸部４２２の内壁面の一部に雌ネジ部４２２ａが設けられている。
【００４０】
当該避雷導線接合端子４０は、ナット部材４２が避雷導線挿入部材４１に螺挿されることにより、先割り部４１２３の間隔が狭くなり、避雷導線挿入部材４１に挿入された避雷導線６０が避雷導線挿入部材４１に圧着固定され、側面貫通受雷部２０と避雷導線６０とが電気的、機械的に接合されるものである。避雷導線の腐食を防止するためその材質が黄銅とされ、その表面部がクロムメッキされている。
【００４１】
次に、以上のように構成された本発明の実施の形態に係る側面避雷設備の設置方法および設置例について、図５および図６を参照して説明する。
図５は、本実施の形態に係る側面避雷設備の設置方法を示すフローチャート図であり、図６は、本実施の形態に係る側面避雷設備の具体的な設置例を示す平面図である。
【００４２】
本発明の実施の形態に係る側面避雷設備の設置方法は、図５に示すように、受雷部固定部材３０を建造物の所定の位置に配設する受雷部固定部材配設ステップ（ステップＳ１）と、避雷導線接合端子４０を側面貫通受雷部２０に取付けるか否かを判断する避雷導線接合端子取付け判断ステップ（ステップＳ２）と、避雷導線接合端子４０を側面貫通受雷部２０に取付けると判断した時、避雷導線接合端子４０を側面貫通受雷部２０に取付ける避雷導線接合端子取付けステップ（ステップＳ３）と、避雷導線挿入部材４１に挿入された避雷導線６０が避雷導線接合端子４０に圧着接合される避雷導線接合ステップ（ステップＳ４）と、側面貫通受雷部２０を受雷部固定部材３０に固定する側面貫通受雷部固定ステップ（ステップＳ５）とを有する。
【００４３】
また、受雷部固定部材配設ステップ（ステップＳ１）により受雷部固定部材３０を建造物の所定の位置に配設した後、避雷導線接合端子取付け判断ステップ（ステップＳ２）により避雷導線接合端子４０を側面貫通受雷部２０に取付けないと判断した時、側面貫通受雷部２０を受雷部固定部材３０に挿入固定し（ステップＳ５ａ）、避雷導線接合端子４０を側面貫通受雷部２０に取付け（ステップＳ３ａ）、避雷導線６０を避雷導線接合端子４０に圧着接合する（ステップＳ４ａ）。
【００４４】
本発明の実施の形態に係る側面避雷設備の具体的な設置例は、図６に示すように、先ず、受雷部固定部材３０を壁部材７０の所定の位置に配設した後（ステップＳ１）、避雷導線接合端子４０を側面貫通受雷部２０に取付ける時（ステップＳ２）、避雷導線挿入部材４１を跳出し部２２ｂに螺着固定し（ステップＳ３）、前記避雷導線挿入部材４１に避雷導線６０を挿入し、ナット部材４２を前記避雷導線挿入部材４１に螺挿させることにより、避雷導線６０と側面貫通受雷部２０とが電気的、機械的に接合される（ステップＳ４）。そして、避雷突針部２１を受雷部挿入管３１に室内側から室外側へ挿入し、さらに、前記避雷突針部２１を受雷部挿入管３１の先端部から突出させ、ネジ部材５０により側面貫通受雷部２０と受雷部固定部材３０とを接合することにより、側面貫通受雷部２０と受雷部固定部材３０とが電気的、機械的に接合され、当該側面避雷設備１０が壁部材７０に設置される（ステップＳ５）。
【００４５】
また、先ず、受雷部固定部材３０を壁部材７０の所定の位置に配設した後（ステップＳ１）、避雷導線接合端子４０を側面貫通受雷部２０に取付けない時（ステップＳ２）、建造物の所定の位置に配設された受雷部固定部材３０に避雷突針部２１を挿入し、前記避雷突針部２１を受雷部挿入管３１の先端部から突出させた後、ネジ部材５０により側面貫通受雷部２０と受雷部固定部材３０とを接合させることにより、側面貫通受雷部２０と受雷部固定部材３０とが電気的、機械的に接合される（ステップＳ５ａ）。そして、跳出し部２２ｂに避雷導線挿入部材４１が螺着固定され、避雷導線６０が挿入された避雷導線挿入部材４１にナット部材４２を螺挿することにより、避雷導線６０と側面貫通受雷部２０とを電気的、機械的に接合し（ステップＳ３ａ）、当該側面避雷設備１０を壁部材７０に設置させてもよい（ステップＳ４ａ）。
【００４６】
次に、以上のように構成された本発明の実施の形態に係る側面避雷設備の動作について説明する。
雷が壁部材表面部７０ａに落ちようとする時、避雷突針部２１は壁部材表面部７０ａより突出しているので、雷撃は、壁部材表面部７０ａに落雷せずに避雷突針部２１により受止められ、避雷突針部２１により受止められた雷撃による雷電流は、基板部２２および避雷導線接合端子４０を経由して避雷導線６０に流れ、図示しない接地極に接地されることにより、壁部材７０が雷撃から保護される。
【００４７】
以上のように、本発明の実施の形態に係る側面避雷設備は、建造物の側面部への落雷防止を図る側面避雷設備１０であって、建造物の側面部の室内側から室外側へ貫通する側面貫通受雷部２０と、側面貫通受雷部２０を建造物に固定する受雷部固定部材３０とを有するので、側面避雷設備の工場一括生産が可能となる。
【００４８】
また、側面貫通受雷部２０は、雷撃を受止める避雷突針部２１と、避雷突針部２１が垂設される基板部２２とを有するので、側面貫通受雷部２０を機械的に着脱することが可能となる。
【００４９】
また、側面貫通受雷部２０は、避雷導線６０を電気的、機械的に接合する避雷導線接合端子４０を備え、該避雷導線接合端子４０は、避雷導線６０が挿入される避雷導線挿入部材４１と、避雷導線挿入部材４１に螺挿されるナット部材４２とを有するので、熟練を要する避雷導線の溶接作業を省略することが可能となる。
【００５０】
また、受雷部固定部材３０は、側面貫通受雷部２１が挿入される略円筒型形状の受雷部挿入管３１と、受雷部挿入管３１の室内側に配置される端部に設けられたリング状のフランジ部材３２とを有するので、室内にて側面貫通受雷部２０を受雷部固定部材３０に電気的、機械的に接合することが可能となる。
【００５１】
また、避雷突針部挿入管４１は、該避雷突針部挿入管４１の外周面に周設される鍔体３３を有するので、建造物室内部への水分の浸入防止を図るとともに、受雷部固定部材３０の引き抜きを防止することが可能となる。
【００５２】
また、側面避雷設備１０を建造物に設置する側面避雷設備設置方法において、受雷部固定部材３０を建造物の所定の位置に配設し（ステップＳ１）、建造物の室内側から側面貫通受雷部２０を受雷部固定部材３０に固定する（ステップＳ５）ようにしたので、回転球体法に基づいた避雷設備を容易に設置することが可能となる。
【００５３】
なお、ゴンドラ等を使用して建造物の側面部のメンテナンス実施時には、メンテナンスの実施に先立って避雷突針２１が障害とならぬよう、ネジ部材５０を緩めて側面貫通受雷部２０を受雷部固定部材３０から外せばよい。従って、側面避雷設備１０の配置計画は、メンテナンス作業も考慮して、建造物の保守点検作業や窓の位置を考慮して決定するのが望ましい。
【００５４】
また、感電や悪戯を防止するため、又は、避雷突針２１が防火区画を貫通する時、当該側面避雷設備１０は、所定の性能を有する他の部分と区画されたシャフトやダクト内に配設するのが望ましい。
【００５５】
また、当該側面避雷設備１０は、鉄筋コンクリート在来工法について説明したが、従来の高層建築物の外壁側面に対する避雷工法において説明したプレキャスト部材に受雷部固定部材３０を予め取付けることで、プレキャスト部材に取付けることも可能であり、本実施の形態に限定されるものではない。
【産業上の利用可能性】
【００５６】
本発明にかかる側面避雷設備ならびに側面避雷設備設置方法は、高層なる建造物の側面部に避雷設備を設置する場合に有用であり、特に、避雷設備設置後の保守点検作業、並びに、維持管理費用を重視する場合に適している。
【図面の簡単な説明】
【００５７】
【図１】本実施の形態に係る側面避雷設備の全体平面図である。
【図２】本実施の形態に係る側面避雷設備の正面図である。
【図３】本実施の形態に係る側面避雷設備の断面図である。
【図４】本実施の形態に係る避雷導線接合端子の平面図と断面図である。
【図５】本実施の形態に係る側面避雷設備の設置方法を示すフローチャート図である。
【図６】本実施の形態に係る側面避雷設備の具体的な設置例を示す平面図である。
【図７】従来の技術に係る側面落雷防止工法に用いられるＰＣ板の取付け状態を示す正面図である。
【図８】従来の技術に係る側面落雷防止工法に用いられるＰＣ板の正面図である。
【図９】従来の技術に係る側面落雷防止工法に用いられるＰＣ板の右側面図である。
【図１０】従来の技術に係る避雷導線の接合状態を示す図である。
【符号の説明】
【００５８】
１０  側面避雷設備
２０  側面貫通受雷部
２１  避雷突針部
２２  基板部
２２ａ  基板部本体
２２ｂ  跳出し部
２２ｃ  ネジ穴
２２ｄ  雌ネジ部
３０  受雷部固定部材
３１  受雷部挿入管
３２  フランジ部材
３２ａ  ネジ穴
３３  鍔体
４０  避雷導線接合端子
４１  避雷導線挿入部材
４１１  頭部
４１２  軸部
４１２１  開口部
４１２２  雄ネジ部
４１２３  先割り部
４１３  雄ネジ部
４２  ナット部材
４２１  頭部
４２２  軸部
４２２ａ  雌ネジ部
５０  ネジ部材
６０  避雷導線
７０  壁部材
７０ａ  壁部材表面部
Ｓ１  受雷部固定部材配設ステップ
Ｓ２  避雷導線接合端子取付け判断ステップ
Ｓ３，Ｓ３ａ  避雷導線接合端子取付けステップ
Ｓ４，Ｓ４ａ  避雷導線接合ステップ
Ｓ５，Ｓ５ａ  側面貫通受雷部固定ステップ
１  ＰＣ板
１ａ  ＰＣ板正面部
１ｂ  ＰＣ板側面部
２  垂直導体
２ａ  垂直導体正面部
２ｂ  垂直導体側面部
３  ＰＣ板取付け金物
４  接続端子
５  避雷導線
６  躯体
【図１】
2007005194.tif 000003
【図２】
2007005194.tif 000004
【図３】
2007005194.tif 000005
【図４】
2007005194.tif 000006
【図５】
2007005194.tif 000007
【図６】
2007005194.tif 000008
【図７】
2007005194.tif 000009
【図８】
2007005194.tif 000010
【図９】
2007005194.tif 000011
【図１０】
2007005194.tif 000012